(57)【要約】【課題】話者が使用時に自由に位置合わせでき、かつ良好な携帯性及び保管性を有する卓上型マイクロホンを提供する。【解決手段】卓上型マイクロホン１は、本体ケーシング２と本体マイクロホン３とを備えている。本体マイクロホン３は、集音部３４と、基端部３８が本体ケーシング２に回動可能かつ脱着可能に取り付けられる第１アーム部３２と、一端が集音部３４を支持する第２アーム部３１と、を備えている。第２アーム部３１の一端は、第１アーム部３２の先端部に回動可能に連結されている。本体ケーシング２は、マイク収納部２２を備えている。【選択図】　　　図２
2004135127.tif 000002
【特許請求の範囲】
【請求項１】
マイクロホンスタンドと、
前記マイクロホンスタンドに対し回動可能に連結されている第１アームと、前記第１アームに連結されている第２アームとを有するアーム部と、
前記アーム部の先端に取り付けられているマイクユニットと、
を備え、
前記第２アームは、前記第１アームに対し前記アーム部を小型化可能にするように連結されている、
卓上型マイクロホン。
【請求項２】
前記第２アームは、前記第１アームに対し回動可能に連結されており、
前記アーム部は、前記第２アームを回動して折りたたむことで小型化可能である、
請求項１に記載の卓上型マイクロホン。
【請求項３】
前記第２アームは、前記第１アームに対し前記アーム部を伸縮可能にするように連結されており、
前記アーム部は、伸縮することにより小型化可能である、
請求項１に記載の卓上型マイクロホン。
【請求項４】
前記マイクロホンスタンドは、小型化された前記アーム部を収納可能な収納部を有する、請求項１に記載の卓上型マイクロホン。
【請求項５】
前記収納部は、前記アーム部を係止するための第１係止部を含み、
前記アーム部は、前記第１係止部と係合する第２係止部をさらに有する、
請求項１に記載の卓上型マイクロホン。
【請求項６】
前記第１アームは、前記マイクロホンスタンドに対しさらに脱着可能に連結されている、請求項１に記載の卓上型マイクロホン。
【請求項７】
前記マイクロホンスタンドは、
前記マイクユニットまたは他のマイクロホンから出力された音声信号を入力可能な第１入力部と、
前記第１入力部に入力された音声信号を外部放送設備に出力する第２出力部と、
をさらに有する、請求項１に記載の卓上型マイクロホン。
【請求項８】
前記第２出力部は無線送信機である、請求項７に記載の卓上型マイクロホン。
【請求項９】
前記マイクロホンスタンドは、
音源と接続して前記音源からの音声信号を入力可能な１または複数の第２入力部と、
前記第１入力部に入力された音声信号と前記第２入力部に入力された１または複数の音源からの音声信号とをミキシングするミキサ部と、
をさらに有し、
前記第２出力部は、前記ミキシングされた音声信号を無線受信機に無線送信する、
請求項８に記載の卓上型マイクロホン。
【発明の詳細な説明】
【０００１】
【発明の属する技術分野】
本発明は、卓上型マイクロホンに関する。
【０００２】
【従来の技術】
持ち運びが容易であり屋外で設置が可能な卓上型マイクロホンが普及している。例えば、特許文献１には、マイクロホンスタンドをＶ字型に開閉可能な脚に構成し、この脚に溝を設け、この溝にマイクロホンのシャフト部分を収納可能とした卓上型マイクロホンが開示されている。シャフトの先端には、マイクロホンユニットが設けられている。このように構成すれば、良好な保管性及び携帯性が得られる。
【０００３】
また、例えば、特許文献２には、伸縮可能なメインパイプの先端側に音声ピックアップ装置等を設け、メインパイプを伸縮してアンプボックスに収納可能とした卓上型マイクロホンが開示されている。このように構成すれば、良好な保管性及び携帯性が得られる。
【０００４】
【特許文献１】
特開平１０−５６６８０
【０００５】
【特許文献２】
特開２００１−７８２８７
【０００６】
【発明が解決しようとする課題】
話者は通常、習性としてマイクロホンユニットを口元に近づけて話す。従って、マイクロホンユニットがガンマイクのような狭指向性を有している場合でも、マイクロホンユニットを話者の口元に十分近づけることができるようシャフトを構成する必要がある。
しかし、特許文献１に開示される卓上型マイクロホンは、シャフトの方位角に関して回動しないため、話者が机上の運動会プログラムなどを見ながら口元へマイクロホンユニットを自由に位置合わせすることが困難である。また、マイクロホンユニットを話者の口元まで十分達するようシャフトの長さを確保する必要があり、シャフトが長くなりすぎて持ち運びに不便となる。
【０００７】
一方、特許文献２に開示される卓上型マイクロホンは、メインパイプがアンプボックスに対して上下に伸縮するだけであり、話者が机上の運動会プログラムなどを見ながら口元へマイクロホンユニットを自由に位置合わせすることがやはり困難である。
本発明の目的は、話者が使用時に自由に位置合わせでき、かつ良好な携帯性及び保管性を有する卓上型マイクロホンを提供することにある。
【０００８】
【課題を解決するための手段】
請求項１に係る卓上型マイクロホンは、マイクロホンスタンドと、アーム部と、マイクユニットとを備えている。アーム部は、第１アームと第２アームとを有している。第１アームは、マイクロホンスタンドに対し回動可能に連結されている。第２アームは、第１アームに対しアーム部を小型化可能にするように連結されている。マイクユニットは、第２アームの先端に取り付けられている。
ここでは、第１アームはマイクロホンスタンドに対し回動される。ここで、回動とは、垂直方向（仰角）に回動すること及び／または水平方向（方位角）に回動することを含む。そして、アーム部は小型化される。
【０００９】
このように、ここではアーム部を小型化可能なため、マイクユニットを話者の口元へ近づけるのに十分な長さをアーム部に確保しつつ、アーム部を小型化して卓上型マイクロホンの持ち運びを容易とすることができる。加えて、第１アームを回動することで、マイクユニットを話者の口元へ近づくよう位置調節できる。特に、第１アームが水平方向にも回動可能とすれば、話者がマイクユニットの位置を自在に変え、運動会のプログラムなどを見ながら話すことができる。
請求項２に係る卓上型マイクロホンは、請求項１に係る卓上型マイクロホンにおいて、第２アームは、第１アームに対し回動可能に連結されており、アーム部は、第２アームを回動して折りたたむことで小型化可能である。
【００１０】
ここでは、第２アームは第１アームに対し回動される。アーム部は、第２アームを回動することにより折りたたまれて小型化される。第１アームと第２アームとの連結は、例えば水平連結ピンなどにより行われる。
このように、ここではアーム部を折りたたんで小型化することにより、卓上型マイクロホンの持ち運びが容易となり、かつ第１アームを回動してマイクユニットを話者の口元へ近づくよう位置調節でき、それに必要なアーム部の長さも確保できる。
【００１１】
請求項３に係る卓上型マイクロホンは、請求項１に係る卓上型マイクロホンにおいて、第２アームは、第１アームに対しアーム部を伸縮可能にするように連結されており、アーム部は、伸縮することにより小型化可能である。
ここでは、アーム部を伸縮可能である。アーム部の伸縮は、例えばアーム部をロッド型マイクロホンとすることで実現される。
このように、ここではアーム部を伸縮して小型化することにより、卓上型マイクロホンの持ち運びが容易となり、かつ第１アームを回動してマイクユニットを話者の口元へ近づくよう位置調節でき、それに必要なアーム部の長さも調節できる。
【００１２】
請求項４に係る卓上型マイクロホンは、請求項１に係る卓上型マイクロホンにおいて、マイクロホンスタンドは、アーム部を折りたたんで収納可能な収納部を有する。
ここでは、アーム部は、折りたたんでマイクロホンスタンドに収納される。
このように、ここでは、アーム部を折りたたんでマイクロホンスタンドに収納できるため、携帯性及び保管性が増す。
請求項５に係る卓上型マイクロホンは、請求項１に記載の卓上型マイクロホンにおいて、収納部は、アーム部を係止するための第１係止部を含み、アーム部は、第１係止部と係合する第２係止部をさらに有する。
【００１３】
ここでは、アーム部が収納部に係止される。
このように、ここでは持ち運びの際アーム部が収納された状態で係止され、持ち運びの際アーム部が振れて損傷することを防ぐことができる。
請求項６に係る卓上型マイクロホンは、請求項１に記載の卓上型マイクロホンにおいて、第１アームは、マイクロホンスタンドに対しさらに脱着可能に連結される。
ここでは、第１アームはマイクロホンスタンドに対し脱着可能に連結される。
【００１４】
このように、ここではアーム部が脱着可能に連結されるため、アーム部の交換などのメンテナンスが容易となる。
請求項７に係る卓上型マイクロホンは、請求項１に記載の卓上型マイクロホンにおいて、マイクロホンスタンドは、マイクユニットまたは他のマイクロホンから出力された音声信号を入力可能な第１入力部と、音声信号を外部放送設備に出力する第２出力部とをさらに有している。
ここでは、第１出力部または他のマイクロホンから出力された音声信号が入力される。そして、入力された音声信号は、例えばポータブルワイヤレス送信機に有線出力されたり、ワイヤレス受信機に無線送信出力されたりする。
【００１５】
このように、ここでは、集音部、ヘッドセット等の音源から出力された音声信号を入力し、入力した音声信号を例えばワイヤレス受信機に無線送信できる。
請求項８に係る卓上型マイクロホンは、請求項７に記載の卓上型マイクロホンにおいて、第２出力部は無線送信機である。
ここでは、入力された音声信号がダイバシティ受信機などのワイヤレス受信機に無線送信される。
このように、ここでは例えば集音部、ヘッドセット等の音源から出力された音声信号をワイヤレス受信機に無線送信できるため、配線が不要となって設置が容易となる。
【００１６】
請求項９に係る卓上型マイクロホンは、請求項８に記載の卓上型マイクロホンにおいて、マイクロホンスタンドは、音源と接続して音源からの音声信号を入力可能な１または複数の第２入力部と、第１入力部に入力された音声信号と前記第２入力部に入力された１または複数の音源からの音声信号とをミキシングするミキサ部と、をさらに有し、第２出力部は、ミキシングされた音声信号を無線受信機に無線送信する。
ここでは、１または複数の音源からの音声信号が入力される。第１入力部に入力された音声信号と１または複数の音源からの音声信号とがミキシングされる。ミキシングされた音声信号は、無線受信機に無線送信される。
【００１７】
このように、ここでは例えば集音部、ヘッドセットなどのマイク音声信号に加えて、例えばポータブルＣＤプレーヤ、ポータブルカセットプレーヤなどの音源からの音声信号を入力可能であり、入力した音声信号をミキシングしてワイヤレス送信できる。
【００１８】
【発明の実施の形態】
＜第１実施形態＞
〔概要構成〕
本発明の１実施形態が採用される卓上型マイクロホンを図に基づいて説明する。
図１を参照すると、卓上型マイクロホン１は、本体ケーシング２と、本体マイクロホン３とを備えている。本体ケーシング２は、下部ケーシング２９と上面パネルケーシング２１とが重合されその内部中空に図示しない無線送信部や入力された音声信号のミキシングを行うミキシング回路などを内蔵する。
【００１９】
本体ケーシング２の左端部には、本体マイクロホン３を収納するためのマイク収納部２２が設けられている。
本体ケーシング２の右側面には、電源スイッチ２４、ＡＣアダプタ接続端子２５が設けられている。また、本体ケーシング２の手前側には、持ち運びに便利なように取手２６が設けられている。
本体ケーシング２の前面（操作者の反対側）には、図３に示すように、それぞれ音源に接続可能な複数の外部入力端子が設けられており、本体マイクロホン３と第１チャンネルを共用する第１マイク入力端子６１、第２チャンネルに接続される第２マイク入力端子６２、第３チャンネルを共用する第３マイク入力端子６３および第１ライン入力端子６４、第４チャンネルを共用する第４マイク入力端子６５および第２ライン入力端子６６が設けられている。また、本体ケーシング２の前面には、ミキシング回路によりミキシングされた音声信号を録音機器に出力する録音出力端子６７が設けられている。
【００２０】
第３チャンネルを共用する第３マイク入力端子６３および第１ライン入力端子６４は、それぞれ接続される機器のインピーダンスに整合するような回路構成となっている。同様に、第４チャンネルを共用する第４マイク入力端子６５および第２ライン入力端子６６は、接続される機器のインピーダンスに整合するような回路構成となっている。
上面パネルケーシング２１の上面には、第１チャンネル〜第４チャンネルのボリュームコントロールを行うための操作つまみ４１〜４４が取り付けられている。また、上面パネルケーシング２１には、本体マイクロホン３のオン／オフ制御を行うための本体マイクスイッチ５１と、第３チャンネルおよび第４チャンネルに接続された音響機器のボリュームを所定量減衰させる音量ダウンスイッチ５２と、本体マイクスイッチ５１のオン／オフ状態を表示するマイク状態表示部５３と、音量ダウンスイッチ５２のオン／オフ状態を表示する音量ダウン状態表示部５４が設けられている。さらに、上面パネルケーシング２１の上面には、ピーク表示部２７、バッテリ残量表示部２８などが設けられている。
【００２１】
〔本体マイクロホン〕
本体マイクロホン３は、図２に示すように、マイクエレメントが保護カバーによって保護される集音部３４と、基端部３８が本体ケーシング２に回動可能かつ脱着可能に取り付けられる第１アーム部３２と、一端が集音部３４を支持する第２アーム部３１と、を備えている。基端部３８は、例えば公知のＡＭ／ＦＭラジオ受信機のロッドアンテナを回転可能かつ屈折可能にラジオ本体に取り付けるベース取付具にすることができる。この場合、基端部３８の取り付けは、例えば前述のベース取付具を本体ケーシング２に設けた穴に挿通し本体ケーシング２の裏面からネジにより締結することにより行うことができる。このようにすれば、既存のベース取付具を有効に活用することとなり、本卓上型マイクロホン１の製造コストも削減できる。第２アーム部３１の一端は、第１アーム部３２の先端部に回動可能に連結されている。第１アーム部３２は本体ケーシング２に回動可能に取り付けられ、第２アーム部３１は第１アーム部３２と回動可能に連結されているため、卓上型マイクロホン１の使用者が使用の際に集音部３４の位置を自在に調節できる。従って、話者は例えば机上にある運動会のプログラムを見ながら集音部３４を口元近くに動かし、これに向かって話すことができる。また、本体マイクロホン３は、第１アーム部３２及び第２アーム部３１を有しているため、集音部３４を口元近くへ動かせるだけの十分な長さも確保できる。さらに、基端部３８は本体ケーシング２に脱着可能に取り付けられているため、本体マイクロホン３の取り外しや取り付けが容易であり、本体マイクロホン３が故障した際の交換なども容易となる。
【００２２】
第１アーム部３２は、本体ケーシング２のマイク収納部２２に設けられる係止爪２３に係合する係合部３５を備えている。係止爪２３は、例えば合成樹脂により上面パネルケーシング２１と一体的に形成された弾性部材でなり、第１アーム部３２がマイク収納部２２に収納された際に、係合部３５に係合して第１アーム部３２を所定位置に保持する。
また、第１アーム部３２は、筒状体の側面の一部に長さ方向に渡る開放部が形成されてなり、Ｕ字状断面を有している。そして、内部に第２アーム部３１を収納可能な第２アーム収納部３９を構成している。第１アーム部３２の長さ方向中間部には、第２アーム部３１が第２アーム収納部３９に収納された際に第２アーム部３１を保持するための保持爪７０が設けられている。この保持爪７０は、合成樹脂により第１アーム部３２と一体的に形成された弾性部材とすることができる。このことから、本体マイクロホン３を折り畳んで本体ケーシング２のマイク収納部２２に収納する際、第２アーム部３１が第１アーム部３２の第２アーム収納部３９に保持されるとともに第１アーム部３２が係止爪２３により係止状態となり、携帯する際に本体マイクロホン３の収納状態を維持でき、本体マイクロホン３が振れることによる損傷を防ぐことができる。また、本体マイクロホン３を収納することで、卓上型マイクロホン１を棚や箱などに保管する際の省スペース化も図ることができ、保管性が増す。尚、本体マイクロホン３の損傷を防止するため、マイク収納部２２に蓋を設け、収納された本体マイクロホン３を覆うようにしても良い。
【００２３】
集音部３４から延設されるコード３６は、筒状に形成された第２アーム部３１の内部中空および第１アーム部３２の中空部に配設されており、先端部に出力プラグ３７を具設する（図３参照）。出力プラグ３７は、本体ケーシング２の裏面側に設けられる第５マイク入力端子６８（図４参照）に接続されている。
第５マイク入力端子６８には、本体マイクロホン３と同等の性能を有するマイクロホンの接続が可能となっている。たとえば、操作者が頭に装着可能なヘッドセットのマイクロホンを使用する場合には、本体マイクロホン３の使用をせずにヘッドセットのマイクロホン出力を第５マイク入力端子６８に接続するように構成できる。
【００２４】
〔本体マイクスイッチおよび音量ダウンスイッチ〕
上面パネルケーシング２１の上面に設けられている本体マイクスイッチ５１は、本体マイクロホン３のオン／オフ制御を行うものである。この本体マイクスイッチ５１のオン／オフ状態は、マイク状態表示部５３の表示により目視確認することが可能である。
また、上面パネルケーシング２１の上面に設けられている音量ダウンスイッチ５２は第３チャンネルおよび第４チャンネルの音量を所定量減衰させるものである。この音量ダウンスイッチ５２のオン／オフ状態は、音量ダウン状態表示部５４の表示により目視確認することが可能である。
【００２５】
このような構成で、たとえば、第３チャンネルおよび第４チャンネルにポータブルＣＤプレーヤやポータブルカセットプレーヤなどを接続してプログラムに対応する音楽や音声を流す。本体マイクロホン３を用いてアナウンスを行うときには、本体マイクスイッチ５１を押して本体マイクロホン３をオン状態にし、音量ダウンスイッチ５２を押して第３チャンネルおよび第４チャンネルの音量を減衰させることにより、ＢＧＭの音量を小さくしてアナウンスの音声を明瞭に放送することができる。
【００２６】
〔外部入力端子〕
外部入力端子は、前述したように、第１チャンネル〜第４チャンネルにマイクロホンのプラグを直接接続することが可能なフォーンジャックを設けている。また、第３チャンネルおよび第４チャンネルには、ライン入力のためのミニジャックを設けている。このことから、ジャックの形状により接続されるプラグが特定されるため、セッティング時における誤配線や誤設定を防止することが可能となる。
【００２７】
〔無線送信機〕
図示しない無線送信機は、本体ケーシング２に内蔵されている。無線送信機は、例えば公知の卓上型マイクロホン音声信号送信ユニットであり、第１マイク入力端子６１、第２マイク入力端子６２、第３マイク入力端子６３、第１ライン入力端子６４、第４マイク入力端子６５、第２ライン入力端子６６または第５マイク入力端子６８から入力された音声信号や、これらの音声信号をミキシング回路によりミキシングして生じた音声信号をダイバシティ受信機などの無線受信機に無線送信する。従って、ミキサーを別途用意しなくても音声信号を卓上型マイクロホン１によりミキシングできる。また、ミキシングされた音声信号は無線送信されるため、卓上型マイクロホン１からポータブルワイヤレス送信機などへの配線が不要であり、設置も容易である。
【００２８】
＜第２実施形態＞
図５は、第２実施形態に係る卓上型マイクロホン１の斜視図である。本実施形態に係る卓上型マイクロホン１は、本体マイクロホン３を除き、第１実施形態に係る卓上型マイクロホン１と同様の構成である。そして、本体マイクロホン３は、第１実施形態に係る卓上型マイクロホン１と異なり、ロッド型マイクロホンで構成されている。即ち、図５に例示するように、第１アーム部３２は筒状に形成されており、第２アーム部３１を第１アーム部３２の軸方向に移動させることで第２アーム部３１が第１アーム部３２に収納され、本体マイクロホン３が伸縮自在となるように構成されている。そして、第２アーム部３１を移動させることで縮小した本体マイクロホン３は、前記第１実施形態と同様、マイク収納部２２に収納可能である。ここで、第１アーム部３２の基端部３８は、前記第１実施形態と同様、本体ケーシング２に対し回動可能かつ着脱可能に装着されている。また、第１アーム部３２は、第１実施形態と同様、係合部３５を有しており、マイク収納部２２の係止爪２３と係止する。この際、コード３６は、第２アーム部３１の移動の妨げとならないようカール式とし、また第１アーム部３２の基端部３８の内部にはコード３６を収納するための空間を確保することが好ましい。
【００２９】
以上のように卓上型マイクロホン１を構成すれば、卓上型マイクロホン１の使用者が使用の際、本体マイクロホン３を回動させて集音部３４の位置を自在に調節できる。従って、話者は例えば机上にある運動会のプログラムを見ながら本体マイクロホン３を回動させて集音部３４を口元近くに動かし、これに向かって話すことができる。また、本体マイクロホン３は伸縮自在なため、集音部３４を口元近くへ伸ばすこともできる。また、本体マイクロホン３をマイク収納部２２に収納することで、卓上型マイクロホン１を棚や箱などに保管する際省スペース化も図ることができ、保管性が増す。さらに、この際、本体マイクロホン３はマイク収納部２２に係止状態となるため、携帯する際に本体マイクロホン３の収納状態を維持でき、本体マイクロホン３が振れることによる損傷を防ぐこともできる。
【００３０】
【発明の効果】
本発明を用いれば、話者が使用時に自由に位置合わせでき、かつ良好な携帯性及び保管性を有する卓上型マイクロホンを実現できる。また、メンテナンスや設置が容易な卓上型マイクロホンを実現できる。さらに、音声信号をミキシング可能な卓上型マイクロホンを実現できる。
【図面の簡単な説明】
【図１】本発明の第１実施形態の外観を示す斜視図。
【図２】本体マイクロホンを伸長させた状態を示す斜視図。
【図３】端子部の説明図。
【図４】底面の説明図。
【図５】本発明の第２実施形態の外観を示す斜視図。
【符号の説明】
２：本体ケーシング
３：本体マイクロホン
２２：マイク収納部
２３：係止爪
３１：第２アーム部
３２：第１アーム部
３３：軸着部
３４：集音部
３５：係合部
３６：コード
３７：出力プラグ
３８：基端部
５１：本体マイクスイッチ
６８：第５マイク入力端子
７０：保持爪
【図１】
2004135127.tif 000003
【図２】
2004135127.tif 000004
【図３】
2004135127.tif 000005
【図４】
2004135127.tif 000006
【図５】
2004135127.tif 000007